(57)【要約】  本発明は、特別の１-アザ-３,７-ジオキサビシクロ[３.３.０]オクタン化合物を用いることによる臭気の低減方法に関する。硬質および／または軟質表面、特に繊維製品における、および、室内空気中における、臭気が消滅するまでの、臭気低減が可能である。【特許請求の範囲】
【請求項１】
一般式（Ｉ）：
2014527112.tif 000012
［式中、
Ｒ１、Ｒ２、Ｒ３、Ｒ４は、互いに独立して、一般式：Ｒ１-Ｃ(＝Ｏ)-Ｒ２またはＲ３-Ｃ(＝Ｏ)-Ｒ４で示される化合物における、少なくとも６個の炭素原子を有する芳香アルデヒド、または、少なくとも６個の炭素原子を有する芳香ケトンを与える、残基を表し、
Ｒ５、Ｒ６、Ｒ７は、互いに独立して、Ｈまたは非環状または環状、置換または非置換、分枝状または非分枝状、ならびに飽和または不飽和であってよい炭化水素残基を表す。］
で示される、１-アザ-３,７-ジオキサビシクロ[３.３.０]オクタン化合物を用いることにより、臭気を低減する方法。
【請求項２】
芳香アルデヒドは以下：アドキサール（２,６,１０-トリメチル-９-ウンデセナール）、アニスアルデヒド（４-メトキシベンズアルデヒド）、シマル（３-(４-イソプロピルフェニル)-２-メチルプロパナール）、エチルバニリン、フロルヒドラル（３-(３-イソプロピルフェニル)ブタナール）、ヘリオナール（３-(３,４-メチレンジオキシフェニル)-２-メチルプロパナール）、ヘリオトロピン、ヒドロキシシトロネラール、ラウルアルデヒド、リラル（３-および４-(４-ヒドロキシ-４-メチルペンチル)-３-シクロヘキセン-１-カルボキサアルデヒド）、メチルノニルアセトアルデヒド、リリアール（３-(４-tert-ブチルフェニル)-２-メチルプロパナール）、フェニルアセトアルデヒド、ウンデシレンアルデヒド、バニリン、２,６,１０-トリメチル-９-ウンデセナール、３-ドデセン-１-アール、α-ｎ-アミルシンナムアルデヒド、メロナール（２,６-ジメチル-５-ヘプテナール）、２,４-ジメチル-３-シクロヘキセン-１-カルボキサアルデヒド（トリプラール）、４-メトキシベンズアルデヒド、ベンズアルデヒド、３-(４-tert-ブチルフェニル)プロパナール、２-メチル-３-(パラ-メトキシフェニル)プロパナール、２-メチル-４-(２,６,６-トリメチル-２(１)-シクロヘキセン-１-イル)ブタナール、３-フェニル-２-プロペナール、シス-／トランス-３,７-ジメチル-２,６-オクタジエン-１-アール、３,７-ジメチル-６-オクテン-１-アール、[(３,７-ジメチル-６-オクテニル)オキシ]アセトアルデヒド、４-イソプロピルベンジルアルデヒド、１,２,３,４,５,６,７,８-オクタヒドロ-８,８-ジメチル-２-ナフトアルデヒド、２,４-ジメチル-３-シクロヘキセン-１-カルボキサアルデヒド、２-メチル-３-(イソプロピルフェニル)プロパナール、１-デカナール、２,６-ジメチル-５-ヘプテナール、４-(トリシクロ[５.２.１.０(２,６)]-デシリデン-８)-ブタナール、オクタヒドロ-４,７-メタン-１Ｈ-インデンカルボキサアルデヒド、３-エトキシ-４-ヒドロキシベンズアルデヒド、パラ-エチル-α,α-ジメチルヒドロシンナムアルデヒド、α-メチル-３,４-(メチレンジオキシ)ヒドロシンナムアルデヒド、３,４-メチレンジオキシベンズアルデヒド、α-ｎ-ヘキシルシンナムアルデヒド、ｍ-シメン-７-カルボキサアルデヒド、α-メチルフェニルアセトアルデヒド、７-ヒドロキシ-３,７-ジメチルオクタナール、ウンデセナール、２,４,６-トリメチル-３-シクロヘキセン-１-カルボキサアルデヒド、４-(３)(４-メチル-３-ペンテニル)-３-シクロヘキセンカルボキサアルデヒド、１-ドデカナール、２,４-ジメチルシクロヘキセン-３-カルボキサアルデヒド、４-(４-ヒドロキシ-４-メチルペンチル)-３-シクロヘキセン-１-カルボキサアルデヒド、７-メトキシ-３,７-ジメチルオクタン-１-アール、２-メチルウンデカナール、２-メチルデカナール、１-ノナナール、１-オクタナール、２,６,１０-トリメチル-５,９-ウンデカジエナール、２-メチル-３-(４-tert-ブチル)プロパナール、ジヒドロシンナムアルデヒド、１-メチル-４-(４-メチル-３-ペンテニル)-３-シクロヘキセン-１-カルボキサアルデヒド、５-または６-メトキシヘキサヒドロ-４,７-メタンインダン-１-または-２-カルボキサアルデヒド、３,７-ジメチルオクタン-１-アール、１-ウンデカナール、１０-ウンデセン-１-アール、４-ヒドロキシ-３-メトキシベンズアルデヒ��、１-メチル-３-(４-メチルペンチル)-３-シクロヘキセンカルボキサアルデヒド、７-ヒドロキシ-３,７-ジメチルオクタナール、トランス-４-デセナール、２,６-ノナジエナール、パラ-トリルアセトアルデヒド、４-メチルフェニルアセトアルデヒド、２-メチル-４-(２,６,６-トリメチル-１-シクロヘキセン-１-イル)-２-ブテナール、オルト-メトキシシンナムアルデヒド、３,５,６-トリメチル-３-シクロヘキセンカルボキサアルデヒド、３,７-ジメチル-２-メチレン-６-オクテナール、フェノキシアセトアルデヒド、５,９-ジメチル-４,８-デカジエナール、ペオニーアルデヒド（６,１０-ジメチル-３-オキサ-５,９-ウンデカジエン-１-アール）、ヘキサヒドロ-４,７-メタンインダン-１-カルボキサアルデヒド、２-メチルオクタナール、α-メチル-４-(１-メチルエチル)ベンゼンアセトアルデヒド、６,６-ジメチル-２-ノルピネン-２-プロピオンアルデヒド、パラ-メチルフェノキシアセトアルデヒド、２-メチル-３-フェニル-２-プロペン-１-アール、３,５,５-トリメチルヘキサナール、ヘキサヒドロ-８,８-ジメチル-２-ナフトアルデヒド、３-プロピルビシクロ[２.２.１]-ヘプタ-５-エン-２-カルブアルデヒド、９-デセナール、３-メチル-５-フェニル-１-ペンタナール、メチルノニルアセトアルデヒド、ヘキサナールおよびトランス-２-ヘキセナールから選択されることを特徴とする、請求項１に記載の方法。
【請求項３】
芳香ケトンは以下：メチルβ-ナフチルケトン、ムスクインダノン（１,２,３,５,６,７-ヘキサヒドロ-１,１,２,３,３-ペンタメチル-４Ｈ-インデン-４-オン）、トナリド（６-アセチル-１,１,２,４,４,７-ヘキサメチルテトラリン）、α-ダマスコン、β-ダマスコン、δ-ダマスコン、イソダマスコン、ダマセノン、メチルジヒドロジャスモネート、メントン、カルボン、カンファー、コアボン（koavone）（３,４,５,６,６-ペンタメチルヘプト-３-エン-２-オン）、フェンコン、α-イオノン、β-イオノン、γ-メチルイオノン、フルーラモン（fleuramone）（２-ヘプチルシクロペンタノン）、ジヒドロジャスモン、シス-ジャスモン、イソ-Ｅ-スーパー（１-(１,２,３,４,５,６,７,８-オクタヒドロ-２,３,８,８-テトラメチル-２-ナフタレニル)-エタン-１-オン（および異性体)）、メチルセドレニルケトン、アセトフェノン、メチルアセトフェノン、パラ-メトキシアセトフェノン、メチルβ-ナフチルケトン、ベンジルアセトン、ベンゾフェノン、パラ-ヒドロキシフェニルブタノン、セロリケトン（３-メチル-５-プロピル-２-シクロヘキセノン）、６-イソプロピルデカヒドロ-２-ナフトン、ジメチルオクテノン、フレスコメンテ（Frescomenthe）（２-ブタン-２-イル-シクロヘキサン-１-オン）、４-(１-エトキシビニル)-３,３,５,５-テトラメチルシクロヘキサノン、メチルヘプテノン、２-(２-(４-メチル-３-シクロヘキセン-１-イル)プロピル)シクロペンタノン、１-(p-メンテン-６(２)yl)-１-プロパノン、４-(４-ヒドロキシ-３-メトキシフェニル)-２-ブタノン、２-アセチル-３,３-ジメチルノルボルナン、６,７-ジヒドロ-１,１,２,３,３-ペンタメチル-４(５Ｈ)-インダノン、４-ダマスコール、ダルシニル（４-(１,３-ベンゾジオキソール-５-イル)ブタン-２-オン）、ヘキサロン（１-(２,６,６-トリメチル-２-シクロヘキセン-１-イル)-１,６-ヘプタジエン-３-オン）、イソシクレモン（isocyclemone）Ｅ（２-アセトナフトン-１,２,３,４,５,６,７,８-オクタヒドロ-２,３,８,８-テトラメチル）、メチルノニルケトン、メチルシクロシトロン、メチルラベンダーケトン、オリボン（orivone）（４-tert-アミルシクロヘキサノン）、４-tert-ブチルシクロヘキサノン、デルホン（２-ペンチルシクロペンタノン）、ムスコン（ＣＡＳ５４１-９１-３）、ネオブテノン（１-(５,５-ジメチル-１-シクロヘキセニル)ペンタ-４-エン-１-オン）、プリカトン（plicatone）（ＣＡＳ４１７２４-１９-０）、ベルトン（veloutone）（２,２,５-トリメチル-５-ペンチルシクロペンタン-１-オン）、２,４,４,７-テトラメチルオクタ-６-エン-３-オン、およびテトラメラン（６，１０-ジメチルウンデセン-２-オン)から選択されることを特徴とする、請求項１または２に記載の方法。
【請求項４】
一般式（Ｉ）で示される１-アザ-３,７-ジオキサビシクロ[３.３.０]オクタン化合物において、残基Ｒ５およびＲ７は、互いに独立して、水素または場合により置換されていてよいＣ１-６炭化水素残基、好ましくはＣ１−３炭化水素残基を表す、特にＲ５およびＲ７は、それぞれ、水素、メチル基またはエチル基のそれぞれを表すことを特徴とする、請求項１〜３のいずれかに記載の方法。
【請求項５】
一般式（Ｉ）で示される１-アザ-３,７-ジオキサビシクロ[３.３.０]オクタン化合物において、残基Ｒ６は、メチル残基、エチル残基、ヒドロキシメチル残基、または、水素を表すことを特徴とする、請求項１〜４のいずれかに記載の方法。
【請求項６】
一般式（Ｉ）で示される１-アザ-３,７-ジオキサビシクロ[３.３.０]オクタン化合物において、残基Ｒ２およびＲ４は、それぞれ水素を表す、請求項１〜５のいずれかに記載の方法。
【請求項７】
一般式（Ｉ）で示される１-アザ-３,７-ジオキサビシクロ[３.３.０]オクタン化合物において、残基Ｒ２、Ｒ４、Ｒ５、Ｒ７は、それぞれ水素を表し、残基Ｒ６はメチル残基、エチル残基、ヒドロキシメチル残基または水素を表し、残基Ｒ１およびＲ３は、互いに独立して、それぞれＣ６-２４炭化水素残基、好ましくはＣ７-２４炭化水素残基を表し、ここで、該炭化水素残基は、非環状または環状、置換または非置換、分枝状または非分枝状、ならびに飽和または不飽和であり得ることを特徴とする、請求項１〜６のいずれかに記載の方法。
【請求項８】
硬質および／または軟質表面における臭気を低減するための、請求項１〜７のいずれかに記載の方法。
【請求項９】
手動または自動の洗浄または浸漬プロセスにおいて、繊維が一般式（Ｉ）で示される１-アザ-３,７-ジオキサビシクロ[３.３.０]オクタン化合物を含有する洗浄浴にさらされる、繊維処理法に関連する、軟質表面、特に繊維製品の臭気を低減するための、請求項１〜８のいずれかに記載の方法であって、ここで、該水浴の温度は５〜９５℃、好ましくは１０〜６０℃、特に１５〜４０℃である方法。
【請求項１０】
繊維製品における臭気を低減するための請求項１〜９のいずれかに記載の方法であって、一般式（Ｉ）で示される１-アザ-３,７-ジオキサビシクロ[３.３.０]オクタン化合物を含有する液体を繊維上に噴霧する、方法。
【請求項１１】
一般式（Ｉ）で示される１-アザ-３,７-ジオキサビシクロ[３.３.０]オクタン化合物は、香料と共に用いられ、ここで該１-アザ-３,７-ジオキサビシクロ[３.３.０]オクタン化合物は、香料の全量に基づいて、好ましくは１:１００〜１００:１、特に１０:１〜１:５０の範囲で用いられる、請求項１〜１０のいずれかに記載の方法。
【請求項１２】
硬質表面における臭気を低減するための請求項１〜１１のいずれかに記載の方法であって、該硬質表面と、一般式（Ｉ）で示される１-アザ-３,７-ジオキサビシクロ[３.３.０]オクタン化合物を含有する液体とを、特にすすぎおよび／または噴霧によって接触させる、方法。
【請求項１３】
室内空気中、特にリビングルーム、台所、浴室、トイレ区域、クローゼットおよび車内における臭気を低減するための、請求項１〜１２のいずれかに記載の方法であって、スティック、カード、ブロックまたはスプレーを介して、一般式（Ｉ）で示される１-アザ-３,７-ジオキサビシクロ[３.３.０]オクタン化合物を室内空気中に導入する、方法。
【発明の詳細な説明】
【技術分野】
【０００１】
本発明は、好ましくは硬質表面および／または軟質表面の処理に関する、臭気を低減させる方法に関し、特に繊維処理法に関連する臭気低減、同様に室内空気中の臭気の低減に関する。
【背景技術】
【０００２】
例えば洗浄剤、清浄剤またはケア付与剤の使用においても役割を持つ、１つの重要な消費者の要求は、悪臭（すなわち臭気）または望ましくない臭いの除去または少なくとも減少からなる。臭気は、「悪臭」とも称される特定の嗅覚的活性化合物に由来する。悪臭は、いわゆる不快香基（kakosmophoric groups）を有する不快な臭いの化合物、例えばアミン誘導体および硫黄誘導体である。このような臭気の存在は、概して、人の快適性に悪影響をもたらすため、消費者はこの臭いを消滅する努力をする。しかしながら、臭気は、単にマスクされるものの消去されない場合がある。この目的のために、通常、揮発性の、通常心地良い臭いの物質を含有する製品であって、不快な臭気を少量でさえマスクすることができる製品が使用される。
【０００３】
米国特許第６,８６１,４０２号には、オキサゾリジン形態の芳香アルデヒドまたは芳香ケトンを含有する香料前駆体が記載されている。例えば単環オキサゾリジンが生成するように、Ｎ-ベンジルエタノールアミンをフレグランスと反応させる。米国特許出願公開第２００３/０２０７７８６号には、同様に、オキサゾリジン構造を有する香料前駆体が記載されている。米国特許第４,２７７,３５３号には、潤滑油用の腐食防止性添加剤として、単環および二環性オキサゾリジンが記載されている。米国特許出願公開第２００４/００８７４５３号には、オキサゾリジンの形にも結合し得る特定の感光性香料前駆体が記載されている。米国特許出願公開第２００４/００６７８７０号には、第３級のα炭素原子を有する特別の芳香アルデヒドが記載されており、これはオキサゾリジンの形にも結合し得る。米国特許出願公開第２００３/０１５８０７９号には、活性剤を基質へと運ぶのに適当な活性剤デリバリー系が記載され、該活性剤デリバリー系は、アルデヒドまたはケトン形態の活性剤および第１級および／または第２級アミン単位を含むアミンを含む。国際公開第２００７/０８７９７７号には、１-アザ-３,７-ジオキサビシクロ[３.３.０]オクタン化合物、香料前駆体としてのその使用、および、これを洗浄または清浄剤において用いることが記載されている。しかしながら同文献には、臭気低減方法は言及されていない。
【０００４】
国際公開第２０１０/０９４３５６号には、使用するモノマーの１種が１-アザ-３,７-ジオキサビシクロ[３.３.０]オクタン化合物である特定のコポリマーが記載されている。かかるコポリマーは、香料前駆体として使用される。しかしながら同文献には、臭気低減方法は言及されていない。
【０００５】
国際公開第２００８/０７４５９８号には、１-アザ-３,７-ジオキサビシクロ[３.３.０]オクタン化合物を構成する芳香が結合したケイ酸エステルが記載されている。しかしながら同文献には、臭気低減方法は言及されていない。
【先行技術文献】
【特許文献】
【０００６】
【特許文献１】米国特許第６,８６１,４０２号明細書
【特許文献２】米国特許出願公開第２００３/０２０７７８６号明細書
【特許文献３】米国特許第４,２７７,３５３号明細書
【特許文献４】米国特許出願公開第２００４/００８７４５３号明細書
【特許文献５】米国特許出願公開第２００４/００６７８７０号明細書
【特許文献６】米国特許出願公開第２００３/０１５８０７９号明細書
【特許文献７】国際公開第２００７/０８７９７７号パンフレット
【特許文献８】国際公開第２０１０/０９４３５６号パンフレット
【特許文献９】国際公開第２００８/０７４５９８号明細書
【発明の概要】
【発明が解決しようとする課題】
【０００７】
本発明の目的は、臭気の低減をもたらすさらなる性能を消費者に提供することである。
【課題を解決するための手段】
【０００８】
本発明の主題は、一般式（Ｉ）：
【化１】
2014527112.tif 000002
［式中、
Ｒ１、Ｒ２、Ｒ３、Ｒ４は、互いに独立して、一般式：Ｒ１-Ｃ(＝Ｏ)-Ｒ２またはＲ３-Ｃ(＝Ｏ)-Ｒ４で示される化合物における、少なくとも６個、好ましくは少なくとも７個、特に少なくとも８個の炭素原子を有する芳香アルデヒド、または、少なくとも６個、好ましくは少なくとも７個、特に少なくとも８個の炭素原子を有する芳香ケトンを与える、残基を表し、
Ｒ５、Ｒ６、Ｒ７は、互いに独立して、Ｈまたは非環状または環状、置換または非置換、分枝状または非分枝状、ならびに飽和または不飽和であってよい炭化水素残基を表す］
で示される１-アザ-３,７-ジオキサビシクロ[３.３.０]オクタン化合物を用いることにより、臭気を低減する方法である。
【０００９】
本発明の目的において、全ての炭化水素残基は、原則として、非環状または環状、置換または非置換、分枝状または非分枝状、ならびに飽和または不飽和であってよい。本発明の目的において、炭化水素残基は、原則として、ヘテロ原子、例えば窒素、酸素または硫黄原子を含んでよい。場合により置換されていてよい非環状、非分枝状炭化水素残基は、それぞれ、Ｒ５、Ｒ６およびＲ７に関して好ましい。適当な置換基は、例えばヒドロキシ基、アルコキシ基、アミノ基またはハロゲン基である。
【発明を実施するための形態】
【００１０】
「用いる」という用語は、本明細書において、最も広い意味で理解され、すなわち、一般式（Ｉ）で示される１-アザ-３,７-ジオキサビシクロ[３.３.０]オクタン化合物が、前記の臭気を低下させるために用いられる。臭気の「低減」は、単なる臭気のマスキングを超えて、臭気の引き金となる物質の不活性化を意味する。本明細書において「不活性化」は、臭気が少なくとも減少し、特に実際に完全に除去されること、すなわち消失することを意味する。臭気が存在すると、該臭気がそこから発生する物体、または、臭気が知覚される空間またはシステムが存在するはずである。本発明によれば、望ましくない臭気を低下させるために、一般式（Ｉ）で示される１-アザ-３,７-ジオキサビシクロ[３.３.０]オクタン化合物を該物体上へ、または、該空間またはシステム中へと供給することができる。一般式（Ｉ）で示される１-アザ-３,７-ジオキサビシクロ[３.３.０]オクタン化合物の供給は、例えばスプレーによって、または、洗浄または清浄プロセスに関連して達成することができる。
【００１１】
一般式（Ｉ）で示される１-アザ-３,７-ジオキサビシクロ[３.３.０]オクタン化合物は、例えば室内空気中に噴霧することができる；例えばこれを水または水浴を備えた容器中に入れてよく、例えば汗のついたシャツを含む任意の区切られた対象物に、または、複数のこのような対象物、例えば多くの汚れたシャツ等からなる洗濯物に、直接に運ばれ得る。本発明の方法は、驚くべきことに、臭気を消滅するところまで明らかに低減することができる。
【００１２】
本発明の方法は、例えばスポーツ活動後に由来する特に悪臭を放つ繊維製品に関して、または、トイレもしくはＷＣ区域での臭気に関して、臭気を最小化または消失させるために有効に使用することができる。
【００１３】
本発明者らは、臭気除去に使用される１-アザ-３,７-ジオキサビシクロ[３.３.０]オクタン化合物の機能原則は、この前記化合物が、加水分解によって、芳香アルデヒドおよび／または芳香ケトンだけでなくアミノアルコールをも放出し、そのため、悪臭物を不活性化することができるということに基づくと推測する。しかしながら、驚くべきことに、用いられる一般式（Ｉ）で示される１-アザ-３,７-ジオキサビシクロ[３.３.０]オクタン化合物は、アミノアルコールおよびフレグランス（すなわち芳香アルデヒドおよび／または芳香ケトン）を別々に用いる他の相当する組合せ、すなわち１-アザ-３,７-ジオキサビシクロ[３.３.０]オクタン化合物の分解生成物よりも良好に臭気除去を可能にすることが見出された。アミノアルコールまたはフレグランスを個々に用いることと比較して、より良好な臭気除去は、いずれの場合にも達成される。より優れた効果は、特に洗濯機での適用においても見られた。加水分解による芳香アルデヒドまたは芳香ケトンならびにアミノアルコールの放出は、例えば発汗の場合に特に有利であり、その結果、生じる悪臭は生成されるにつれて直接に阻止され得る。
【００１４】
本発明の目的における臭気抑制に関して、本発明の方法を、触媒量の酸、好ましくはルイス酸および／またはブレンステッド酸、特にブレンステッド酸の存在下で行うことが特に有利であることがわかった。
【００１５】
例えば通常の大気中水分または周囲空気からもたらされる触媒量の水でさえ、本発明により定められるような特に効果的な臭気低減を確保するのに十分である。
【００１６】
また、周囲空気の影響は、該空気は原則としてわずかな酸性であるため、本発明の目的に好ましい。この理由は、二酸化炭素がある程度大気中水分（すなわち空気中に存在する水）に溶解し、常に空気中に存在することであり、これは（形式上の用語において）炭酸を形成し、そのため前記水分のＨ＋イオン濃度が上昇する。したがって、原則として、触媒量の酸は周囲空気中および周囲空気に含まれる大気水分中に含有される。
【００１７】
既に明らかにしたように、式（Ｉ）中、残基Ｒ１、Ｒ２、Ｒ３、Ｒ４は、互いに独立して、一般式Ｒ１-Ｃ（=Ｏ）-Ｒ２またはＲ３-Ｃ(=Ｏ)-Ｒ４で示される化合物における、少なくとも６個の炭素原子を有する芳香アルデヒドまたは少なくとも６個の炭素原子を有する芳香ケトンを与える、残基を表す。
【００１８】
好ましくは、一般式Ｒ１-Ｃ(=Ｏ)-Ｒ２またはＲ３-Ｃ(=Ｏ)-Ｒ４で示される化合物における芳香ケトンを与える残基Ｒ１およびＲ２またはＲ３およびＲ４は、構造要素-ＣＲ１Ｒ２または-ＣＲ３Ｒ４の多くても１つで存在する。特に、それぞれ芳香アルデヒドを与える、特に同一の芳香アルデヒドを与える、一般式Ｒ１-Ｃ(=Ｏ)-Ｒ２またはＲ３-Ｃ(=Ｏ)-Ｒ４で示される化合物における、残基Ｒ１およびＲ２ならびにＲ３およびＲ４は、構造要素-ＣＲ１Ｒ２および-ＣＲ３Ｒ４の両方の構造要素に存在し得る。
【００１９】
本発明の好ましい態様によれば、芳香アルデヒドは、以下から選択される：アドキサール（２,６,１０-トリメチル-９-ウンデセナール）、アニスアルデヒド（４-メトキシベンズアルデヒド）、シマル（３-(４-イソプロピルフェニル)-２-メチルプロパナール）、エチルバニリン、フロルヒドラル（３-(３-イソプロピルフェニル)ブタナール）、ヘリオナール（３-(３,４-メチレンジオキシフェニル)-２-メチルプロパナール）、ヘリオトロピン、ヒドロキシシトロネラール、ラウルアルデヒド、リラル（３-および４-(４-ヒドロキシ-４-メチルペンチル)-３-シクロヘキセン-１-カルボキサアルデヒド）、メチルノニルアセトアルデヒド、リリアール（３-(４-tert-ブチルフェニル)-２-メチルプロパナール）、フェニルアセトアルデヒド、ウンデシレンアルデヒド、バニリン、２,６,１０-トリメチル-９-ウンデセナール、３-ドデセン-１-アール、α-ｎ-アミルシンナムアルデヒド、メロナール（２,６-ジメチル-５-ヘプテナール）、２,４-ジメチル-３-シクロヘキセン-１-カルボキサアルデヒド（トリプラール）、４-メトキシベンズアルデヒド、ベンズアルデヒド、３-(４-tert-ブチルフェニル)プロパナール、２-メチル-３-(パラ-メトキシフェニル)プロパナール、２-メチル-４-(２,６,６-トリメチル-２(１)-シクロヘキセン-１-イル)ブタナール、３-フェニル-２-プロペナール、シス-／トランス-３,７-ジメチル-２,６-オクタジエン-１-アール、３,７-ジメチル-６-オクテン-１-アール、[(３,７-ジメチル-６-オクテニル)オキシ]アセトアルデヒド、４-イソプロピルベンジルアルデヒド、１,２,３,４,５,６,７,８-オクタヒドロ-８,８-ジメチル-２-ナフトアルデヒド、２,４-ジメチル-３-シクロヘキセン-１-カルボキサアルデヒド、２-メチル-３-(イソプロピルフェニル)プロパナール、１-デカナール、２,６-ジメチル-５-ヘプテナール、４-(トリシクロ[５.２.１.０(２,６)]-デシリデン-８)-ブタナール、オクタヒドロ-４,７-メタン-１Ｈ-インデンカルボキサアルデヒド、３-エトキシ-４-ヒドロキシベンズアルデヒド、パラ-エチル-α,α-ジメチルヒドロシンナムアルデヒド、α-メチル-３,４-(メチレンジオキシ)ヒドロシンナムアルデヒド、３,４-メチレンジオキシベンズアルデヒド、α-ｎ-ヘキシルシンナムアルデヒド、ｍ-シメン-７-カルボキサアルデヒド、α-メチルフェニルアセトアルデヒド、７-ヒドロキシ-３,７-ジメチルオクタナール、ウンデセナール、２,４,６-トリメチル-３-シクロヘキセン-１-カルボキサアルデヒド、４-(３)(４-メチル-３-ペンテニル)-３-シクロヘキセンカルボキサアルデヒド、１-ドデカナール、２,４-ジメチルシクロヘキセン-３-カルボキサアルデヒド、４-(４-ヒドロキシ-４-メチルペンチル)-３-シクロヘキセン-１-カルボキサアルデヒド、７-メトキシ-３,７-ジメチルオクタン-１-アール、２-メチルウンデカナール、２-メチルデカナール、１-ノナナール、１-オクタナール、２,６,１０-トリメチル-５,９-ウンデカジエナール、２-メチル-３-(４-tert-ブチル)プロパナール、ジヒドロシンナムアルデヒド、１-メチル-４-(４-メチル-３-ペンテニル)-３-シクロヘキセン-１-カルボキサアルデヒド、５-または６-メトキシヘキサヒドロ-４,７-メタンインダン-１-または-２-カルボキサアルデヒド、３,７-ジメチルオクタン-１-アール、１-ウンデカナール、１０-ウンデセン-１-��ール、４-ヒドロキシ-３-メトキシベンズアルデヒド、１-メチル-３-(４-メチルペンチル)-３-シクロヘキセンカルボキサアルデヒド、７-ヒドロキシ-３,７-ジメチルオクタナール、トランス-４-デセナール、２,６-ノナジエナール、パラ-トリルアセトアルデヒド、４-メチルフェニルアセトアルデヒド、２-メチル-４-(２,６,６-トリメチル-１-シクロヘキセン-１-イル)-２-ブテナール、オルト-メトキシシンナムアルデヒド、３,５,６-トリメチル-３-シクロヘキセンカルボキサアルデヒド、３,７-ジメチル-２-メチレン-６-オクテナール、フェノキシアセトアルデヒド、５,９-ジメチル-４,８-デカジエナール、ペオニーアルデヒド（６,１０-ジメチル-３-オキサ-５,９-ウンデカジエン-１-アール）、ヘキサヒドロ-４,７-メタンインダン-１-カルボキサアルデヒド、２-メチルオクタナール、α-メチル-４-(１-メチルエチル)ベンゼンアセトアルデヒド、６,６-ジメチル-２-ノルピネン-２-プロピオンアルデヒド、パラ-メチルフェノキシアセトアルデヒド、２-メチル-３-フェニル-２-プロペン-１-アール、３,５,５-トリメチルヘキサナール、ヘキサヒドロ-８,８-ジメチル-２-ナフトアルデヒド、３-プロピルビシクロ[２.２.１]-ヘプタ-５-エン-２-カルバルデヒド、９-デセナール、３-メチル-５-フェニル-１-ペンタナール、メチルノニルアセトアルデヒド、ヘキサナールおよびトランス-２-ヘキセナール。
【００２０】
本発明の好ましい態様によれば、芳香ケトンは以下から選択される：メチルβ-ナフチルケトン、ムスクインダノン（１,２,３,５,６,７-ヘキサヒドロ-１,１,２,３,３-ペンタメチル-４Ｈ-インデン-４-オン）、トナリド（６-アセチル-１,１,２,４,４,７-ヘキサメチルテトラリン）、α-ダマスコン、β-ダマスコン、δ-ダマスコン、イソダマスコン、ダマセノン、メチルジヒドロジャスモネート、メントン、カルボン、カンファー、コアボン（koavone）（３,４,５,６,６-ペンタメチルヘプト-３-エン-２-オン）、フェンコン、α-イオノン、β-イオノン、γ-メチルイオノン、フルーラモン（fleuramone）（２-ヘプチルシクロペンタノン）、ジヒドロジャスモン、シス-ジャスモン、イソ-Ｅ-スーパー（１-(１,２,３,４,５,６,７,８-オクタヒドロ-２,３,８,８-テトラメチル-２-ナフタレニル)-エタン-１-オン（および異性体））、メチルセドレニルケトン、アセトフェノン、メチルアセトフェノン、パラ-メトキシアセトフェノン、メチルβ-ナフチルケトン、ベンジルアセトン、ベンゾフェノン、パラ-ヒドロキシフェニルブタノン、セロリケトン（３-メチル-５-プロピル-２-シクロヘキセノン）、６-イソプロピルデカヒドロ-２-ナフトン、ジメチルオクテノン、フレスコメンテ（Frescomenthe）（２-ブタン-２-イル-シクロヘキサン-１-オン）、４-(１-エトキシビニル)-３,３,５,５-テトラメチルシクロヘキサノン、メチルヘプテノン、２-(２-(４-メチル-３-シクロヘキセン-１-イル)プロピル)シクロペンタノン、１-(p-メンテン-６(２)イル)-１-プロパノン、４-(４-ヒドロキシ-３-メトキシフェニル)-２-ブタノン、２-アセチル-３,３-ジメチルノルボルナン、６,７-ジヒドロ-１,１,２,３,３-ペンタメチル-４(５Ｈ)-インダノン、４-ダマスコール、ダルシニル（dulcinyl）（４-(１,３-ベンゾジオキソール-５-イル)ブタン-２-オン）、ヘキサロン（１-(２,６,６-トリメチル-２-シクロヘキセン-１-イル)-１,６-ヘプタジエン-３-オン）、イソシクレモン（isocyclemone）Ｅ（２-アセトナフトン-１,２,３,４,５,６,７,８-オクタヒドロ-２,３,８,８-テトラメチル）、メチルノニルケトン、メチルシクロシトロン、メチルラベンダーケトン、オリボン（orivone）（４-tert-アミルシクロヘキサノン）、４-tert-ブチルシクロヘキサノン、デルホン（２-ペンチルシクロペンタノン）、ムスコン（ＣＡＳ５４１-９１-３）、ネオブテノン（１-(５,５-ジメチル-１-シクロヘキセニル)ペンタ-４-エン-１-オン）、プリカトン（plicatone）（ＣＡＳ４１７２４-１９-０）、ベルトン（veloutone）（２,２,５-トリメチル-５-ペンチルシクロペンタン-１-オン）、２,４,４,７-テトラメチルオクタ-６-エン-３-オン、およびテトラメラン（tetrameran）（６，１０-ジメチルウンデセン-２-オン）。
【００２１】
本発明の好ましい態様によれば、Ｒ５およびＲ７は、互いに独立して、それぞれ有利に、水素または場合により置換されていてよいＣ１-６炭化水素残基、好ましくはＣ１-３炭化水素残基を表す。特に好ましくはＲ５およびＲ６は、それぞれ水素、または、それぞれメチルまたはエチル残基を表すが、特にそれぞれ水素を表す。
【００２２】
本発明の好ましい態様によれば、Ｒ１およびＲ３は、互いに独立して、それぞれ有利にＣ６-２４炭化水素残基、好ましくはＣ７-２４炭化水素残基を表し、ここで該炭化水素残基は非環状または環状、置換または非置換、分枝状または非分枝状、ならびに飽和または不飽和であってよい。
【００２３】
さらなる好ましい態様において、Ｒ２、Ｒ４、Ｒ５、Ｒ７は水素を表し、Ｒ１およびＲ３はそれぞれＣ６-２４炭化水素残基、好ましくはＣ７-２４炭化水素残基を表し、ここで、該炭化水素残基は、非環状または環状、置換または非置換、分枝状または非分枝状、ならびに飽和または不飽和であってよく、Ｒ６は水素、または、非環状または環状、置換または非置換、分枝状または非分枝状、ならびに飽和または不飽和であってよい、特に１個または２個のヒドロキシル基および／またはアミノ基で置換されていてよい、Ｃ１−２４炭化水素残基を表し、ここで、８個以下の隣接しない-ＣＨ２基が−Ｏ−で置き換えられていてもよい。
【００２４】
Ｒ６に関して好ましい残基は、Ｃ１-１６炭化水素残基、特にＣ１-１２炭化水素残基、より好ましくはＣ１-６炭化水素残基、最も好ましくはＣ１-３炭化水素残基である。これらは、好ましくは非分枝状、非環式アルキル残基である。これらは置換されていてもよい。例えばこれらは、ヒドロキシル基の代わりに、または、ヒドロキシル基に加えて、アミノ基を有するモノ-またはジヒドロキシアルキル残基であってもよい。炭化水素残基が−Ｏ−によって遮られている場合、これらは好ましくは式：-ＣＨ２-ＣＨ２-Ｏ-または-ＣＨ２-ＣＨ(ＣＨ３)-Ｏ-で示される構造である。このような化合物は、対応するヒドロキシル化合物のアルコキシ化により簡単に得られる。きわめて好ましい残基Ｒ６は、メチル、エチルまたはヒドロキシメチル残基、または、水素である。
【００２５】
一般式（Ｉ）で示される１-アザ-３,７-ジオキサビシクロ[３.３.０]オクタン化合物中において、残基Ｒ２およびＲ４がそれぞれ水素を示す場合、本発明の好ましい態様が存在する。
【００２６】
一般式（Ｉ）で示される１-アザ-３,７-ジオキサビシクロ[３.３.０]オクタン化合物において、残基Ｒ２、Ｒ４、Ｒ５、Ｒ７がそれぞれ水素を表し、残基Ｒ６がメチル、エチルまたはヒドロキシメチル残基、または、水素を表し、残基Ｒ１およびＲ３が、互いに独立して、それぞれＣ６-２４炭化水素残基、好ましくはＣ７-２４炭化水素残基を表す場合（ここで炭化水素残基は非環状または環状、置換または非置換、分枝状または非分枝状、ならびに飽和または不飽和であってよい）、本発明のさらなる好ましい態様が存在する。
【００２７】
従って、一般式（Ｉ）で示される適当なオキサゾリジンは、例えば、１-アザ-３,７-ジオキサ-２,８-ジヘプチルビシクロ[３.３.０]オクタン、１-アザ-３,７-ジオキサ-２,８-ジヘプチル-５-メチルビシクロ[３.３.０]オクタン、１-アザ-３,７-ジオキサ-２,８-ジヘプチル-５-ヒドロキシメチルビシクロ[３.３.０]オクタン、１-アザ-３,７-ジオキサ-２,８-ジヘプチル-５-エチルビシクロ[３.３.０]オクタン、１-アザ-３,７-ジオキサ-２,８-ジオクチルビシクロ[３.３.０]オクタン、１-アザ-３,７-ジオキサ-２,８-ジオクチル-５-メチルビシクロ[３.３.０]オクタン、１-アザ-３,７-ジオキサ-２,８-ジオクチル-５-ヒドロキシメチルビシクロ[３.３.０]オクタン、および１-アザ-３,７-ジオキサ-２,８-ジオクチル-５-エチルビシクロ[３.３.０]オクタンである。
【００２８】
本発明に従い使用することができる一般式（Ｉ）で示される化合物は、特に一般式（ＩＩ）：
【化２】
2014527112.tif 000003
で示される化合物と、一般式：Ｒ１-Ｃ(＝Ｏ)-Ｒ２およびＲ３-Ｃ(＝Ｏ)-Ｒ４で示される化合物とを、閉環を伴って反応させることにより、得ることができる。式（ＩＩ）で示される適当な物質は、例えば２-アミノプロパン-１,３-ジオールである。上記において既に述べた記載は、残基Ｒ１〜Ｒ６のそれぞれにあてはまる。本発明の目的について、一般式Ｒ１-Ｃ(＝Ｏ)-Ｒ２およびＲ３-Ｃ(＝Ｏ)-Ｒ４は、非常に一般に、芳香アルデヒドまたは芳香ケトンを表す。芳香アルデヒドは、化学的にアルデヒドである香料であり、有利にはヒトにおいて、特に嗅覚に快適さを生じさせる香料である。芳香ケトンは、化学的にケトンである香料であり、有利には人において、特に嗅覚に快適さを生じさせる香料である。特に適当な芳香アルデヒドおよび芳香ケトンは、上記に例として挙げられる。２つの例が、図示のために挙げられ得る。例えば一般式：Ｒ１-Ｃ(=Ｏ)-Ｒ２で示される芳香アルデヒドオクタナールにおいて、残基Ｒ１はヘプチル残基（すなわちＣＨ３-(ＣＨ２)６-)を表し、残基Ｒ２は水素を表すか、または、逆もまた同様である。芳香ケトンが、例えば一般式Ｒ１-Ｃ(＝Ｏ)-Ｒ２で示されるメチルノニルケトンである場合、残基Ｒ１はメチル残基を表し、残基Ｒ２はノニル残基（すなわちＣＨ３-(ＣＨ２)８-）を表すか、または、逆もまた同様である。
【００２９】
原則として、芳香アルデヒドおよび／または芳香ケトンとして、特に人において快適な嗅覚をもたらすのに用いられる、あらゆる通常の芳香アルデヒドおよび／または芳香ケトンを使用することが可能である。この種の芳香アルデヒドおよび／または芳香ケトンは、当業者に既知であり、特許文献、例えば米国特許出願公開第２００３/０１５８０７９号の段落［０１５４］および［０１５５］にも記載されている。
【００３０】
本発明により用いられる一般式（Ｉ）で示される化合物を製造するために、したがって、一般式（ＩＩ）で示される化合物とアルデヒド、ケトン、またはケトンおよびアルデヒドの混合物とを、閉環を伴って反応させることが可能である。本発明の好ましい態様によれば、一般式（Ｉ）で示される化合物は、一般式（ＩＩ）で示される１つの分子と、同一または異なっていてよい２つのアルデヒド分子あるいは１つのアルデヒド分子および１つのケトン分子とから誘導される。化学量論的量より少ないアルデヒドおよび／またはケトンを反応させる場合、生成物混合物中に単環式化合物も存在する。しかしながら、二環式化合物と単環式化合物との割合は、アルデヒド／ケトンと、一般式（ＩＩ）で示される化合物とのモル比を選択することにより簡単に調整することができる。
【００３１】
反応は好ましくは適当な溶媒中またはインサイチュで行われる。適当な溶媒は、例えば芳香族含有炭化水素、例えばトルエンである。反応は、好ましくは８０〜１５０℃、特に好ましくは１００〜１４０℃の範囲の温度で行われる。例えば、一般式（ＩＩ）で示される化合物は、窒素雰囲気下で、所望のケトンおよび／またはアルデヒドと共に溶媒中に準備される。次いで、反応混合物が加熱される。加熱は、水分離器上、還流下で行われる場合が多い。得られた反応生成物は、通常の方法を用いて単離され、場合により精製される。一般式（Ｉ）で示される化合物の製造も、国際公開第２００７/０８７９７７号の合成例を参照して詳細に記載され、これを本明細書に参照する。
【００３２】
本発明の好ましい態様において、一般式（Ｉ）で示される１-アザ-３,７-ジオキサビシクロ[３.３.０]オクタン化合物は、香料と共に用いられ、ここで、１-アザ-３,７-ジオキサビシクロ[３.３.０]オクタン化合物は、香料の総量に関して、好ましくは１：１００〜１００：１の範囲、特に１０：１〜１：５０の範囲の重量で用いられる。
【００３３】
本発明の方法において追加的に用いることができるさらなる香料は、何ら限定されない。したがって、例えばエステル、エーテル、アルデヒド、ケトン、アルコールおよび炭化水素タイプの、天然または合成由来の個々の香料化合物を用いることができる。エステルタイプの香料化合物は、例えばベンジルアセテート、フェノキシエチルイソブチレート、p-tert-ブチルシクロヘキシルアセテート、リナリルアセテート、ジメチルベンジルカルビニルアセテート（ＤＭＢＣＡ）、フェニルエチルアセテート、ベンジルアセテート、エチルメチルフェニルグリシネート、アリルシクロヘキシルプロピオネート、スチラリルプロピオネート、ベンジルサリチレート、シクロヘキシルサリチレート、フロラメート（floramate）、メルセート（melusate）およびジャスマシクレート（jasmacyclate）が挙げられる。エーテルに含まれるものとしては、例えばベンジルエチルエーテルおよびアンブロキサン（ambroxan）が挙げられ；アルデヒドに含まれるものとしては、例えば８〜１８個の炭素原子を有する直鎖状アルカナール、シトラール、シトロネラール、シトロネリルオキシアセトアルデヒド、シクラメンアルデヒド（３-(４-プロパン-２-イルフェニル)ブタナール）、リリアールおよびブルゲオナールが挙げられ；ケトンに含まれるものとしては、例えばイオノン、α-イソメチルイオノンおよびメチルセドリルケトンが挙げられ；アルコールに含まれるものとしては、アネトール、シトロネロール、オイゲノール、ゲラニオール、リナロール、フェニルエチルアルコールおよびテルピネオールが挙げられ；炭化水素に含まれるものとしては、主にテルペン、例えばリモネンおよびピネンが挙げられる。しかしながら、一緒になって魅力的な香りを作り出す種々の香料の混合物を使用することが好ましい。
【００３４】
例えばマツ、シトラス、ジャスミン、パチョリ、バラまたはイランイラン油などの、植物源から得ることができるような天然香料混合物を用いてもよい。クラリーセージ油、カモミール油、クローブ油、レモンバーム油、ミント油、シナモンリーフ油、リンデンブロッサム油、ジュニパーベリー油、ベチベル油、オリバナム油、ガルバヌム油、ラブダナム油ならびにオレンジブロッサム油、ネロリ油、オレンジピール油およびビャクダン油も適当である。
【００３５】
さらに、本発明に関して追加的に用いられ得る従来の香料は、例えば精油、例えばアンゼリカ根油、アニス油、アルニカ花油、バジル油、ベイ油、チャンパックス花油、シルバーファー油、シルバーファーコーン油、エレミ油、ユーカリ油、フェンネル油、ファーニードル油、ガルバヌム油、ゼラニウム油、ジンジャーグラス油、ガイアカムウッド油、バルサムガージャン油、ヘリフリサム油、ホウ油、ジンジャー油、アヤメ油、カユプテ油、ショウブ油、カモミール油、カンファー油、カナガ油、カルダモン油、カシア油、パインニードル油、バルサムコパイバ油、コリアンダー油、カールドペパーミント油、キャラウェー油、クミン油、ラベンダー油、レモングラス油、ライム油、タンジェリン油、レモンバーム油、アンブレッド種子油、ミルラ油、クローブ油、ネロリ油、ニアウリ油、オリバナム油、オレンジ油、パルマローザ油、パチョリ油、バルサムペルー油、プチグレーン油、コショウ油、ペパーミント油、ピメント油、マツ油、ローズ油、ローズマリー油、ビャクダン油、セロリ油、スパイク油、スターアニス油、テルペンチン油、ニオイヒバ油、タイム油、バーベナ油、ベチベル油、ジュニパーベリー油、ワームウッド油、ウィンターグリーン油、イランイラン油、ヒソップ油、シナモン油、シナモンリーフ油、シトロネラ油、シトロン油およびサイプレス油ならびにアンブレットリド、α-アミルシンナムアルデヒド、アネトール、アニスアルデヒド、アニスアルコール、アニソール、アントラニル酸メチルエステル、アセトフェノン、ベンジルアセトン、ベンズアルデヒド、安息香酸エチルエステル、ベンゾフェノン、ベンジルアルコール、ベンジルアセテート、ベンジルベンゾエート、ベンジルホルメート、ベンジルバレリエート、ボルネオール、ボルニルアセテート、ボイサンブレンフォート、α−ブロモスチレン、ｎ−デシルアルデヒド、ｎ−ドデシルアルデヒド、オイゲノール、オイゲノールメチルエーテル、オイカリプトール、ファルネソール、フェンコン、フェンチルアセテート、ゲラニルアセテート、ゲラニルホルメート、ヘリオトロピン、ヘプチンカルボン酸メチルエステル、ヘプタアルデヒド、ヒドロキノンジメチルエーテル、ヒドロキシシンナムアルデヒド、ヒドロキシシンナミルアルコール、インドール、イロン、イソオイゲノール、イソオイゲノールメチルエーテル、イソサフロール、ジャスモン、カンファー、カルバクロール、カルボン、ｐ−クレゾールメチルエーテル、クマリン、ｐ−メトキシアセトフェノン、メチル−ｎ−アミルケトン、メチルアントラニル酸メチルエステル、ｐ−メチルアセトフェノン、メチルカビコール、ｐ−メチルキノリン、メチル−β−ナフチルケトン、メチル−ｎ−ノニルアセトアルデヒド、メチル−ｎ−ノニルケトン、ムスコン、β−ナフトールエチルエーテル、β−ナフトールメチルエーテル、ネロール、ｎ−ノニルアルデヒド、ノニルアルコール、ｎ−オクチルアルデヒド、ｐ−オキシアセトフェノン、ペンタデカノリド、β−フェニルエチルアルコール、フェニル酢酸、プレゴン、サフロール、サリチル酸イソアミルエステル、サリチル酸メチルエステル、サリチル酸ヘキシルエステル、サリチル酸シクロヘキシルエステル、サンタロール、サン��リス、スカトール、テルピネオール、チミン、チモール、トロエナン、γ−ウンデカラクトン、バニリン、ベラトラムアルデヒド、シンナムアルデヒド、シンナミルアルコール、桂皮酸、桂皮酸エチルエステル、桂皮酸ベンジルエステル、ジフェニルオキシド、リモネン、リナロール、リナリルアセテートおよびリナリルプロピオネート、メルセート、メントール、メントン、メチル−ｎ−ヘプテノン、ピネン、フェニルアセトアルデヒド、テルピニルアセテート、シトラール、シトロネラルならびにそれらの混合物を含む。
【００３６】
本発明の好ましい態様によれば、本発明の方法は硬質および／または軟質表面の臭気の低減に向けられる。
【００３７】
本発明の方法が、手動または自動の洗浄または浸漬プロセスにおいて、繊維が一般式（Ｉ）で示される１-アザ-３,７-ジオキサビシクロ[３.３.０]オクタン化合物を含有する水性洗浄浴にさらされる繊維処理法に関連する、繊維製品における臭気の低減に関する場合（ここで、該洗浄浴の温度は５〜９５℃、好ましくは１０〜６０℃、特に１５〜４０℃である）、本発明の好ましい態様が存在する。一般式（Ｉ）で示される１-アザ-３,７-ジオキサビシクロ[３.３.０]オクタン化合物は、これに関連して、特に（好ましくは香料を含有する）洗浄、清浄またはケア付与剤の成分として用いられる。これに関して、悪臭の特に良好な低減が生じる。処理継続時間は、好ましくは１〜１２０分、例えば５〜６０分、特に１５〜４５分の範囲の時間である。一般式（Ｉ）で示される１-アザ-３,７-ジオキサビシクロ[３.３.０]オクタン化合物の水性処理浴中での濃度は、好ましくは０.０００４〜０.１２ｇ／Ｌ、特に０.００２〜０.０４ｇ／Ｌの範囲である。
【００３８】
本発明のさらに好ましい態様によれば、本発明の方法は繊維製品の臭気の低減方法に関し、該方法において、一般式（Ｉ）で示される１-アザ-３,７-ジオキサビシクロ[３.３.０]オクタン化合物を含有する液体を繊維上に噴霧する。これに関して、スプレー缶（加圧ガス缶、加圧ガス容器、エアゾール容器）、または、スプレーミスト、フォーム、ペーストまたは液流を作り出す機械的に操作されるポンプ噴霧器（ポンプスプレー）を用いて塗布を行う場合にもまた、本発明の好ましい態様が存在する。
【００３９】
本発明の方法は、原則として、繊維処理に関する臭気低減および硬質表面（例えば床）の清浄、ならびに、化粧的使用および空気管理区域および空気清涼化における使用に適する。
【００４０】
したがって、特にすすぎおよび／または噴霧によって、一般式（Ｉ）で示される１-アザ-３,７-ジオキサビシクロ[３.３.０]オクタン化合物を含有する液体（好ましくは水性液体）と硬質表面とを接触させる、硬質表面において臭気を低減するための方法は、本発明のさらなる好ましい態様に相当する。
【００４１】
一般式（Ｉ）で示される１-アザ-３,７-ジオキサビシクロ[３.３.０]オクタン化合物を用いる、室内、特にリビングルーム、台所、浴室、トイレ区域、クローゼットおよび車内において、空気中の臭気を低減するための方法は、同様に、本発明の好ましい態様に相当する。一般式（Ｉ）で示される１-アザ-３,７-ジオキサビシクロ[３.３.０]オクタン化合物を用いる方法は、スティック、カード、ブロックまたはスプレーを介して室内空気中に導入されることが特に好ましい。
【００４２】
これに関して、一般式（Ｉ）で示される１-アザ-３,７-ジオキサビシクロ[３.３.０]オクタン化合物の放出が、便器におけるサスペンション用のトイレの水の洗浄剤を介して生じる、本発明の方法も好ましい。
【００４３】
一般に、一般式（Ｉ）で示される１-アザ-３,７-ジオキサビシクロ[３.３.０]オクタン化合物が香料と共に用いられるようにして本発明の方法を具体化することが好ましい。それに応じて、本発明の好ましい態様は、本発明の方法において、一般式（Ｉ）で示される１-アザ-３,７-ジオキサビシクロ[３.３.０]オクタン化合物が香料と共に用いられ、ここで、１-アザ-３,７-ジオキサビシクロ[３.３.０]オクタン化合物が香料の総量に基づいて、好ましくは１：１００〜１００:１の範囲、特に１０:１〜１:５０の範囲で用いられる場合に、存在する。
【００４４】
本発明によれば、本発明により使用することができる、一般式（Ｉ）で示される１-アザ-３,７-ジオキサビシクロ[３.３.０]オクタン化合物を含有する洗浄、清浄またはケア付与剤は、好ましくは０.０００１〜５重量％の量で用ることができ、臭気を低減すことができる、ここで「重量％」は剤全体に基づく。
【００４５】
本発明により使用可能な洗浄、清浄またはケア付与剤（以下において「洗浄または清浄剤」と称する）は、好ましくは、一般式（Ｉ）で示される１-アザ-３,７-ジオキサビシクロ[３.３.０]オクタン化合物の他に、以下を含む群から有利に選択される、少なくとも１種の、好ましくは複数の活性成分、特に洗浄、ケア付与および／または清浄活性を有する成分を含有する：アニオン性界面活性剤、カチオン性界面活性剤、両性界面活性剤、非イオン性界面活性剤、酸性化剤、アルカリ化剤、防しわ化合物、抗菌性物質、酸化防止剤、再付着防止剤、帯電防止剤、ビルダー物質（ビルダー）、漂白剤、ブリーチアクチベーター、漂白安定剤、ブリーチ触媒、アイロン補助剤、香料、収縮防止剤、電解質、酵素、色保護剤、染料、色移り防止剤、蛍光剤、防かび剤、殺菌剤、臭気錯化剤、ヒドロトロープ、すすぎ助剤、錯化剤、防腐剤、防蝕剤、光学的光沢剤、艶出し剤、ｐＨ調整剤、補強加工剤および含浸剤、ポリマー、膨張剤および滑り止め剤、発泡防止剤、層状シリケート、撥汚れ物質、銀保護剤、シリコーン油、ＵＶ保護物質、粘度調整剤、増粘剤、変色防止剤、灰色化防止剤、ビタミンおよび／またはａｖｉｖａｇｅ活性剤。
【００４６】
本発明により使用可能な洗浄または清浄剤におけるさらなる考えられる原料の量は、関連する剤の個々の用途に基づき、当業者は原則として、使用される任意の原料の量の桁数に精通しているか、または、それらを関連する技術文献から集めることができる。
【００４７】
例えば、選択される界面活性剤含量は、本発明により使用可能な洗浄または清浄剤の用途によって増減し得る。例えば界面活性剤含量は、例えば洗浄剤において、通常、例えば５〜５０重量％、好ましくは１０〜３０重量％、特に１５〜２５重量％であるのに対し、自動食器洗い機用の清浄剤は、通常、例えば０.１〜１０重量％、好ましくは０.５〜７.５重量％、特に１〜５重量％の界面活性剤を含有する。
【００４８】
本発明により使用可能な洗浄または清浄剤は、好ましくは界面活性剤を含有し得る。適当な界面活性剤は、特にアニオン性界面活性剤、非イオン性界面活性剤、ならびにそれらの混合物であるが、カチオン性界面活性剤でもある。
【００４９】
任意に使用され得る非イオン性界面活性剤に含まれるものは、１０〜２２個の炭素原子、好ましくは１２〜１８個の炭素原子を有する飽和またはモノ不飽和〜ポリ不飽和の、直鎖状または分枝状アルコールの、アルコキシレート、特にエトキシレートおよび／またはプロポキシレートである。アルコールのアルコキシ化度は、原則として１〜２０、好ましくは３〜１０である。これらは、既知の方法において、対応するアルコールと対応するアルキレンオキシドとを反応させることによって製造することができる。それらの分枝鎖状異性体、特にいわゆるオキソアルコールを、使用可能なアルコキシレートを製造するのに使用することもできるが、脂肪アルコールの誘導体は特に適当である。したがって、直鎖状残基、特にドデシル、テトラデシル、ヘキサデシルまたはオクタデシル残基、ならびにそれらの混合物を有する第１級アルコールのアルコキシレート、特にエトキシレートを使用することができる。アルキル部分に関して前記アルコールに対応する、アルキルアミンの対応するアルコキシ化生成物、隣接ジオールの対応するアルコキシ化生成物、および、カルボン酸アミドの対応するアルコキシ化生成物を使用することもできる。また、脂肪酸アルキルエステル、ならびに脂肪酸ポリヒドロキシアミドの、エチレンオキシドおよび／またはプロピレンオキシド挿入生成物も、適当である。
【００５０】
本発明により使用可能な剤中に任意に組み込むのに適当な、いわゆるアルキルポリグリコシドは、一般式：（Ｇ）ｎ-ＯＲ８［式中、Ｒ８は８〜２２個の炭素原子を有するアルキルまたはアルケニル残基を表し、Ｇはグリコース単位であり、ｎは１〜１０の数である］で示される化合物である。グリコシド成分（Ｇ）ｎは、天然アルドースまたはケトースモノマー由来のオリゴマーまたはポリマーを表し、その中でも特に、グルコース、マンノース、フルクトース、ガラクトース、タロース、グロース、アルトロース、アロース、イドース、リボース、アラビノース、キシロースおよびリキソースを含む。この種のグリコシド結合モノマーからなるオリゴマーは、それらに含有される糖の性質だけでなく、それらの数（いわゆるオリゴマー化度）によっても特徴付けられる。分析的に確かめられる大きさであるオリゴマー化度ｎは、一般に分数値をとる。その値は、１〜１０、好ましく使用されるグリコシドに対しては１．５未満、特に１．２〜１．４である。その良好な入手可能性のために、グルコースが好ましいモノマー単位である。グリコシドのアルキルまたはアルケニル部Ｒ８は、好ましくは、再生可能な原料の容易に入手できる誘導体から、特に脂肪アルコールから同様に誘導するが、それらの分枝鎖異性体、特にいわゆるオキソアルコールも、使用できるグリコシドの調製に用いることができる。従って、直鎖状オクチル、デシル、ドデシル、テトラデシル、ヘキサデシルまたはオクタデシル残基を有する第１級アルコールおよびそれらの混合物を特に使用することができる。特に好ましいアルキルグリコシドは、ココヤシ油アルキル残基を含有する。即ち、実質的に、Ｒ８＝ドデシルおよびＲ８＝テトラデシルの混合物である。
【００５１】
本発明により使用可能な洗浄または清浄剤において、好ましくは０.１重量％〜３０重量％、特に１重量％〜２５重量％の量で、非イオン性界面活性剤が任意に含有される（「重量％」は洗浄または清浄剤全体に基づく）。
【００５２】
代わりに、または、追加的に、本発明の洗浄または清浄剤は、さらなる任意の界面活性剤、好ましくはアニオン性界面活性剤を含有し得る。
【００５３】
スルフェートまたはスルホネート型のアニオン性界面活性剤が、それぞれの場合において洗浄または清浄剤全体に基づいて３０重量％を超えない量、特に０.１重量％〜１８重量％の量で、好ましくは任意に含有される。本発明の洗浄または清浄剤において使用するのに特に適当なアニオン性界面活性剤は、対カチオンとしてアルカリイオン、アンモニウムイオン或いはアルキル−またはヒドロキシアルキル−置換アンモニウムイオンを含有する８〜２２個の炭素原子を有するアルキルおよび／またはアルケニルスルフェートである。特に１２〜１８炭素原子を有する脂肪アルコール誘導体、およびそれらの分枝鎖類似体（いわゆるオキソアルコール）が好ましい。アルキルおよびアルケニルスルフェートは、対応するアルコール成分と通常の硫酸化反応体（特に三酸化硫黄またはクロロスルホン酸）との反応、およびそれに続くアルカリ塩基、アンモニウム塩基、或いはアルキル−またはヒドロキシアルキル−置換アンモニウム塩基による中和により、既知の方法で調製できる。このようなアルキルおよび／またはアルケニルスルフェートは、本発明の洗浄または清浄剤中に、好ましくは０.１重量％〜２０重量％、特に０.５重量％〜１８重量％の量で任意に含有される。
【００５４】
スルフェート型の使用可能な界面活性剤は、上記アルコールの硫酸化アルコキシル化生成物（いわゆるエーテルスルフェート）も包含する。このようなエーテルスルフェートは、１分子あたり、好ましくは２〜３０個、特に４〜１０個のエチレングリコール基を含有する。スルホネート型の使用可能なアニオン性界面活性剤は、脂肪酸エステルと三酸化硫黄との反応および続く中和により得られるα−スルホエステル、特に８〜２２個の炭素原子、好ましくは１２〜１８個の炭素原子を有する脂肪酸および１〜６個の炭素原子、好ましくは１〜４個の炭素原子を有する直鎖状アルコールから誘導されたスルホン化生成物、ならびにそれらから通常の鹸化により生じるスルホ脂肪酸を包含する。
【００５５】
特に好ましく、任意に使用可能なアニオン性界面活性剤は、アルキルベンゼンスルホネート、例えばドデシルベンゼン硫酸ナトリウムである。
【００５６】
アニオン性界面活性剤は、本発明の洗浄または清浄剤中に、好ましくは０.１重量％〜３０重量％、特に１重量％〜２５重量％の量で任意に含有される（「重量％」は洗浄または清浄剤全体に基づく）。
【００５７】
本発明により使用可能な洗浄または清浄剤の、さらなる適当な界面活性剤原料は石鹸であり、例えばラウリン酸、ミリスチン酸、パルミチン酸またはステアリン酸の塩のような飽和脂肪酸石鹸、ならびに天然脂肪酸混合物（例えば、ココヤシ脂肪酸、パーム核脂肪酸または獣脂脂肪酸）由来の石鹸が適する。５０重量％〜１００重量％の飽和Ｃ１２〜Ｃ１８脂肪酸石鹸および５０重量％までのオレイン酸石鹸からなる石鹸混合物が、特に好ましい。石鹸は、本発明の洗浄または清浄剤中に、好ましくは０．１重量％〜５重量％の量で任意に含有される。しかしながら、より多量の石鹸（２０重量％以下）を、特に液状の洗浄または清浄剤中に任意に含有させることもできる。
【００５８】
カチオン性界面活性剤も、本発明により使用可能な洗浄または清浄剤中に任意に含有されていてよい。カチオン性界面活性剤の例は、好ましくは１個の、または、特に２個の疎水性アルキル残基を有する第４級アンモニウム化合物である。エステルクォート、すなわち、より生分解されやすくするための「所定の破断点」としてのエステル基をそれぞれ含有する、２個の疎水性残基を有する第４級アンモニウム化合物は特に好ましい。好ましく使用されるエステルクォートは、メチル-Ｎ-(２-ヒドロキシエチル)-Ｎ,Ｎ-ジ(獣脂アシルオキシエチル)アンモニウムメトスルフェート、ビス-(パルミトイルオキシエチル)ヒドロキシエチルメチルアンモニウムメトスルフェート、１,２-ビス-[獣脂アシルオキシ]-３-トリメチルアンモニウムプロパンクロリド、Ｎ,Ｎ-ジメチル-Ｎ,Ｎ-ジ(獣脂アシルオキシエチル)アンモニウムメトスルフェート、またはメチル-Ｎ,Ｎ-ビス(ステアロイルオキシエチル)-Ｎ-(２-ヒドロキシエチル)アンモニウムメトスルフェートである。
【００５９】
カチオン性界面活性剤は、洗浄または清浄剤全体に基づいて好ましくは０.０５〜２０重量％の量で、本発明の剤中に任意に含有される。０.１〜５重量％の量が特に好ましい。
【００６０】
本発明の好ましい態様によれば、界面活性剤は、本発明により使用可能な洗浄または清浄剤中に、好ましくは５〜５０重量％、特に８〜３０重量％の総量で含有される。洗濯後処理剤において、特に、好ましくは３０重量％以下、特に５〜１５重量％の界面活性剤が使用され、そのうち、好ましくはカチオン性界面活性剤が少なくともその一部である。
【００６１】
本発明により使用可能な洗浄または清浄剤は、好ましくは少なくとも１種のビルダー、好ましくは水溶性および／または水不溶性、有機および／または無機ビルダーを含有し得る。水溶性ビルダーを使用することが好ましい。
【００６２】
水溶性有機ビルダー物質に含まれるものは、ポリカルボン酸、特にクエン酸および糖酸、モノマーおよびポリマーアミノポリカルボン酸、特にメチルグリシン二酢酸、ニトリロ三酢酸およびエチレンジアミン四酢酸、ならびにポリアスパラギン酸、ポリリン酸、特にアミノトリス(メチレンホスホン酸）、エチレンジアミンテトラキス(メチレンホスホン酸）、および１-ヒドロキシエタン-１,１-ジホスホン酸、ポリマーヒドロキシ化合物、例えばデキストリン、ならびにポリマー（ポリ)カルボン酸、ポリマーアクリル酸、メタクリル酸、マレイン酸、およびそれらの混合ポリマーであり、これらはカルボン酸官能性を有さない少量の重合性物質を、それら中に重合して含有していてもよい。適当であるがより好ましくないこの種の化合物は、アクリル酸またはメタクリル酸と、ビニルエーテル、例えばビニルメチルエーテル、ビニルエステル、エチレン、プロピレンおよびスチレンとのコポリマーであり、ここで、酸の割合は少なくとも５０重量％である。
【００６３】
所望する場合、有機ビルダー物質を４０重量％以下、特に２５重量％以下、好ましくは１〜８重量％の量で、本発明の洗浄または清浄剤中に含有させることができる。上記の上限に近い量は、特に水を含有する好ましくはペースト状または液状の本発明の洗浄または清浄剤において用いられる。本発明による洗濯後処理剤（例えば繊維柔軟剤）のような洗浄または清浄剤も、該当する場合、有機ビルダー不含であり得る。
【００６４】
水溶性無機ビルダー物質として考えられるものは、特に、アルカリシリケートおよびポリホスフェート、好ましくはナトリウムトリホスフェートである。結晶性または非晶質アルカリアルミノシリケートは、特に水不溶性、水分散性無機ビルダー物質として、５０重量％まで、好ましくは４０重量％以下、液状剤では特に１〜５重量％の量で、本発明の洗浄または清浄剤において、任意に使用される。それらの中では、洗濯剤品質の結晶性ナトリウムアルミノシリケート、特にゼオライトＡ、Ｐおよび妥当な場合はＸが好ましい。上記した上限値に近い量は、好ましくは固体粒状剤において、任意に使用される。
【００６５】
上記アルミノシリケートについて適当な置換または部分的置換は、結晶質アルカリシリケートであり、これは単独または非晶質シリケートとの混合物で存在し得る。本発明の洗浄または清浄剤においてビルダーとして使用可能なアルカリシリケートは、好ましくは０.９５未満の、アルカリオキシド：ＳｉＯ２のモル比、特に１:１.１〜１:１２のモル比を有し、非晶質または結晶質形態で存在し得る。非晶質アルカリシリケートが好ましい。
【００６６】
また、さらに好ましい態様の目的に対して、最大でも少量の水不溶性ビルダー物質（例えばゼオライト）を、例えば洗浄または清浄剤全体に基づいて０〜５重量％、例えば０.１〜２重量％の量で使用することが好ましい。
【００６７】
ビルダー物質は、本発明により使用可能な洗浄または清浄剤中に、好ましくは６０重量％以下、特に５〜４０重量％の量で、任意に含有される。本発明による洗濯後処理剤、例えば繊維柔軟剤は、好ましくは無機ビルダー不含である。
【００６８】
適当な任意に使用可能な過酸素化合物は、特に有機過酸または有機酸の過酸塩、例えばフタルイミド過カプロン酸、過安息香酸またはジ過ドデカン二酸塩、過酸化水素および、洗浄条件下で過酸化水素を放出する無機塩、例えば過ホウ酸塩、過炭酸塩および／または過ケイ酸塩である。固体の過酸素化合物を用いる場合、これらを粉末または顆粒状（一般的に既知の方法で被覆し得る）で使用し得る。アルカリ過炭酸塩、アルカリ過ホウ酸一水和物、または（特に液状剤において）３重量％〜１０重量％過酸化水素を含有する水溶液の形態の過酸化水素を、特に好ましく使用することができる。本発明の洗浄または清浄剤が、好ましくは過酸素化合物のような漂白剤を含有する場合、これらは好ましくは５０重量％以下、特に５重量％〜３０重量％の量で存在する。少量の既知の漂白剤安定剤、例えばホスホン酸塩、ホウ酸塩またはメタホウ酸塩およびメタケイ酸塩ならびにマグネシウム塩（例えば硫酸マグネシウム）の任意の添加が有利であり得る。
【００６９】
過加水分解条件下で、好ましくは１〜１０個の炭素原子、特に２〜４個の炭素原子を有する脂肪族ペルオキソカルボン酸、および／または（場合により置換されていてよい）過安息香酸を生じる化合物を、ブリーチアクチベーターとして任意に使用し得る。上記の数の炭素原子を有するＯ−および／またはＮ−アシル基、および／または場合により置換されていてよいベンゾイル基を有する物質が適当である。ポリアシル化アルキレンジアミン、特にテトラアセチルエチレンジアミン（ＴＡＥＤ）、アシル化トリアジン誘導体、特に１，５−ジアセチル−２，４−ジオキソヘキサヒドロ−１，３，５−トリアジン（ＤＡＤＨＴ）、アシル化グリコールウリル、特にテトラアセチルグリコールウリル（ＴＡＧＵ）、Ｎ−アシルイミド、特にＮ−ノナノイルスクシンイミド（ＮＯＳＩ）、アシル化フェノールスルホネート、特にｎ−ノナノイルオキシベンゼンスルホネートまたはイソノナノイルオキシベンゼンスルホネート（ｎ−ＮＯＢＳまたはイソ−ＮＯＢＳ）、カルボン酸無水物、特にフタル酸無水物、アシル化多価アルコール、特にトリアセチン、エチレングリコールジアセテートおよび２，５−ジアセトキシ−２，５−ジヒドロフランおよびエノールエステル、ならびにアセチル化ソルビトールおよびアセチル化マンニトールおよびそれらのそれぞれの混合物、アシル化糖誘導体、特にペンタアセチルグルコース（ＰＡＧ）、ペンタアセチルフルクトース、テトラアセチルキシロース、およびオクタアセチルラクトース、ならびにアセチル化、任意にＮ-アルキル化グルカミンおよびグルコノラクトン、および／またはＮ-アシル化ラクタム、例えばＮ-ベンゾイルカプロラクタムが好ましい。疎水的に置換されたアシルアセテートおよびアシルラクタムも同様に好ましく使用される。常套のブリーチアクチベーターの組合せを使用することもできる。このようなブリーチアクチベーターは、通常の量範囲で、好ましくは剤全体に基づいて１〜１０重量％、特に２〜８重量％の量で含有され得る。
【００７０】
本発明により使用可能な洗浄または清浄剤中に任意に使用することができる適当な酵素は、プロテアーゼ、クチナーゼ、アミラーゼ、プルラナーゼ、ヘミセルラーゼ、セルラーゼ、リパーゼ、オキシダーゼおよびペルオキシダーゼ、ならびにそれらの混合物の種類から選択される。バチルス・スブチリス（Bacillus subtilis）、バチルス・リシェニフォルミス（Bacillus licheniformis）、ストレプトミセス・グリシー（Streptomyces griseus）、ヒュミコラ・ラヌギノサ（Humicola lanuginosa）、ヒュミコラ・インソレンス（Humicola insolens）、シュードモナス・シュードアルカリゲネス（Pseudomonas pseudoalcaligenes）またはシュードモナス・セパシア（Pseudomonas cepacia）などの菌類または細菌類から得られる酵素的活性剤は、特に適当である。任意に使用される酵素は、早期の失活から保護するために、担体物質上に吸着され得り、および／または、エンケーシング物質中に埋め込まれ得る。これらは、本発明により使用可能な洗浄または清浄剤中に、好ましくは５重量％を超えない量、特に０.２〜２重量％の量で含有される。
【００７１】
本発明の洗浄または清浄剤は、例えばジアミノスチルベンスルホン酸の誘導体またはそのアルカリ金属塩を、光学的光沢剤として任意に含有し得る。例えば、４，４'−ビス（２−アニリノ−４−モルホリノ−１，３，５−トリアジニル−６−アミノ）スチルベン−２，２'−ジスルホン酸、またはモルホリノ基の代わりに、ジエタノールアミノ基、メチルアミノ基、アニリノ基または２−メトキシエチルアミノ基を有する類似の構造の化合物の塩が適当である。さらに、置換されたジフェニルスチリル型の光沢剤、例えば、４，４'−ビス（２−スルホスチリル）−ジフェニルのアルカリ金属塩、４，４'−ビス（４−クロロ−３−スルホスチリル）−ジフェニルのアルカリ金属塩、または４−（４−クロロスチリル）−４'−（２−スルホスチリル）−ジフェニルのアルカリ金属塩も存在し得る。上記の光学的光沢剤の混合物もまた、使用され得る。
【００７２】
任意に使用することができる発泡防止剤には、例えば以下が含まれる：有機ポリシロキサン、および、超微粒の任意にシラン化されたケイ酸とのその混合物、ならびに、パラフィンワックス、および、シラン化ケイ酸またはビス脂肪酸アルキレンジアミドとのその混合物である。異なる発泡防止剤の混合物、例えば、シリコン、パラフィンまたはワックスの混合物もまた、有利に使用され得る。任意に発泡防止剤、特に、シリコンおよび／またはパラフィンを含有する発泡防止剤は、好ましくは、水溶性または水分散性の顆粒担体物質に結合される。これに関し、パラフィンおよびビステアリルエチレンジアミドの混合物が特に好ましい。
【００７３】
さらに、本発明により使用可能な洗浄または清浄剤は、繊維製品からの油および脂肪の洗浄能力を高める影響をもつ成分（いわゆる「防汚活性剤」）をも任意に含有し得る。この効果は、汚れた繊維製品が、このような油脂肪防止成分を含有する洗浄剤によって既に複数回洗浄した繊維製品である場合に、特に明らかである。好ましい油脂肪防止成分には、例えば非イオン性セルロースエーテル、例えば、メチルセルロースおよびメチルヒドロキシプロピルセルロース（それぞれの場合において非イオン性セルロースエーテルに基づいて、１５〜３０重量％のメトキシ基および１〜１５重量％のヒドロキシプロピル基を含む）、ならびに従来から既知のフタル酸および／またはテレフタル酸ポリマー、または、モノマーおよびまたはポリマージオールとのそれらの誘導体、特にエチレンテレフタレートおよび／またはポリエチレングリコールテレフタレートのポリマーまたはそれらのアニオン化および／または非イオン化変性誘導体が含まれる。
【００７４】
本発明により使用可能な洗浄または清浄剤は、また、色移り防止剤を好ましくは０.１〜２重量％、特に０.１〜１重量％の量で任意に含有することができ、本発明の好ましい態様において、これらはビニルピロリドン、ビニルイミダゾール、ビニルピリジン-Ｎ-オキシドのポリマー、または、これらのコポリマーである。以下のいずれもまた使用可能である：ポリビニルピロリドン、Ｎ-ビニルイミダゾール／Ｎ-ビニルピロリドンコポリマー、ポリビニルオキサゾリドン、ビニルモノマーおよびカルボン酸アミドに基づくコポリマー、ピロリドン基含有ポリエステルおよびポリアミド、グラフト化ポリアミドアミンおよびポリエチレンイミン、第２級アミンから作られたアミド基を有するポリマー、ポリアミン-Ｎ-オキシドポリマー、ポリビニルアルコール、およびアクリルアミドアルケニルスルホン酸に基づくコポリマー。
【００７５】
任意に使用可能な灰色化防止剤は、編織物繊維から分離した汚れを液中に懸濁したまま保つ働きを有する。この目的のために、通常、本来は有機性である水溶性コロイド、例えばデンプン、サイズ、ゼラチン、デンプンもしくはセルロースのエーテルカルボン酸またはエーテルスルホン酸の塩、あるいは、セルロースもしくはデンプンの酸性硫酸エステルの塩が適している。酸性基を含有する水溶性ポリアミドも、この目的に適している。さらに、上記したもの以外のデンプン誘導体、例えばアルデヒドデンプンを使用することもできる。セルロースエーテル、例えばカルボキシメチルセルロース(ナトリウム塩)、メチルセルロース、ヒドロキシアルキルセルロースおよび混合エーテル、例えばメチルヒドロキシエチルセルロース、メチルヒドロキシプロピルセルロース、メチルカルボキシメチルセルロースおよびこれらの混合物を、本発明により使用可能な洗浄または清浄剤に基づいて例えば０.１〜５重量％の量で、任意の灰色化防止剤として、好ましく使用することができる。
【００７６】
本発明により使用可能な洗浄または清浄剤において任意に使用可能な有機溶媒には、特に洗浄または清浄剤が液状またはペースト状形態で存在する場合、以下が包含される：１〜４個の炭素原子を有するアルコール、特にメタノール、エタノール、イソプロパノール、およびtert-ブタノール、２〜４個の炭素原子を有するジオール、特にエチレングリコールおよびプロピレングリコール、ならびにそれらの混合物、および、上記の化合物種からのエーテル誘導体。この種の水混和性溶媒は、本発明により使用可能な洗浄または清浄剤中に、好ましくは３０重量％以下、特に６〜２０重量％の量で任意に存在し得る。
【００７７】
他の成分の混合物からそれ自体もたらされない所望のｐＨを達成するために、本発明により使用可能な洗浄または清浄剤は、酸、特にクエン酸、酢酸、酒石酸、リンゴ酸、乳酸、グリコール酸、コハク酸、グルタル酸および／またはアジピン酸を任意に含有し得るが、鉱酸、特に硫酸、または塩基、特に水酸化アンモニウムまたは水酸化アルカリもまた含有し得る。この種のｐＨ調整剤は、本発明により使用可能な洗浄または清浄剤中に、好ましくは２０重量％以下、特に１.２〜１７重量％の量で任意に含有され得る。
【００７８】
本発明により使用可能な固体状の洗浄または清浄剤の製造は、原則として既知の方法、例えば噴霧乾燥または造粒により達成することができ、任意の過酸素化合物および任意の漂白触媒は、適用可能な場合、後で添加される。高バルク重量、特に６５０ｇ／ｌ〜９５０ｇ／ｌの範囲のバルク重量を有する本発明により使用可能な洗浄または清浄剤を製造するために、押出工程を含む方法が好ましい。本発明により使用可能な液状の洗浄または清浄剤の製造は、同様に、それ自体既知の方法で行うことができる。
【００７９】
一般式（Ｉ）で示される１-アザ-３,７-ジオキサビシクロ[３.３.０]オクタン化合物の他に、好ましくは以下から選択される成分を好ましくは含有し得る、固体状、特に粉末状の洗浄剤が好ましい：
（ａ）アニオン性界面活性剤、例えば好ましくはアルキルベンゼンスルホネート、アルキルスルフェート、例えば好ましくは５〜３０重量％の量、
（ｂ）非イオン性界面活性剤、例えば好ましくは脂肪アルコールポリグリコールエーテル、アルキルポリグルコシド、脂肪酸グルカミド、例えば好ましくは０.５〜１５重量％の量、
（ｃ）ビルダー、例えばポリカルボキシレート、クエン酸ナトリウム、例えば０〜７０重量％、有利には５〜６０重量％、好ましくは１０〜５５重量％、特に１５〜４０重量％の量、
（ｄ）アルカリ、例えば炭酸ナトリウム、例えば０〜３５重量％、有利には１〜３０重量％、好ましくは２〜２５重量％、特に５〜２０重量％の量、
（ｅ）漂白剤、例えば過ホウ酸ナトリウムまたは過炭酸塩ナトリウム、例えば０〜３０重量％、有利には５〜２５重量％、好ましくは１０〜２０重量％の量、
（ｆ）防蝕剤、例えばケイ酸ナトリウム、例えば０〜１０重量％、有利には１〜６重量％、好ましくは２〜５重量％、特に３〜４重量％の量、
（ｇ）安定剤、例えばホスホネート、有利には０〜１重量％、
（ｈ）発泡防止剤、例えば石鹸、シリコン油、パラフィン、有利には０〜４重量％、好ましくは０.１〜３重量％、特に０.２〜１重量％の量、
（ｉ）酵素、例えばプロテアーゼ、アミラーゼ、セルラーゼ、リパーゼ、有利には０〜２重量％、好ましくは０.２〜１重量％、特に０.３〜０.８重量％、
（ｊ）灰色化防止剤、例えばカルボキシメチルセルロース、有利には０〜１重量％、
（ｋ）変色防止剤、例えばポリビニルピロリドン誘導体、例えば０〜２重量％、
（ｌ）調整剤、例えば硫酸ナトリウム、有利には０〜２０重量％,
（ｍ）光学的光沢剤、例えばスチルベン誘導体、ビフェニル誘導体、有利には０〜０.４重量％、特に０.１〜０.３重量％、
（ｎ）任意にさらなる香料、
（ｏ）任意に水、
（ｐ）任意に石鹸、
（ｑ）任意にブリーチアクチベーター、
（ｒ）任意にセルロース誘導体、
（ｓ）任意に撥汚剤、
ここで、「重量％」はそれぞれの場合において剤全体に基づく。
【００８０】
さらなる好ましい態様において、本発明により使用可能な洗浄または清浄剤は、固体状、特に粒子状であり、一般式（Ｉ）で示される１-アザ-３,７-ジオキサビシクロ[３.３.０]オクタン化合物の他に、５〜５５重量％のビルダー、２.５〜２０重量％のアニオン性界面活性剤、１〜２０重量％の非イオン性界面活性剤、１〜２５重量％の漂白剤、０.５〜８重量％のブリーチアクチベーターおよび０.１〜４０重量％の調整剤、特にアルカリスルフェート、ならびに２重量％以下、特に０.４〜１.２重量％の酵素、好ましくは粒子形態に製剤化された酵素、特にプロテアーゼ、リパーゼ、アミラーゼ、セルラーゼおよび／またはオキシドレダクターゼをも含有する。この態様は、任意に、漂白剤およびブリーチアクチベーター不含であってもよい。
【００８１】
本発明の別の好ましい態様において、一般式（Ｉ）で示される１-アザ-３,７-ジオキサビシクロ[３.３.０]オクタン化合物を含有する、本発明により使用可能な洗浄または清浄剤は、液状形態、好ましくはゲル形態で存在する。本発明により使用可能な好ましい液状の洗浄または清浄剤は、剤全体に基づいて例えば１０〜９５重量％、好ましくは２０〜８０重量％、特に３０〜７０重量％の水分含量を有する。液状濃縮物の場合、水分含量は特に低く、例えば３０重量％以下、好ましくは２０重量％以下、特に１５重量％以下、例えば０.１〜１０重量％であり得る（「重量％」はそれぞれの場合において剤全体に基づく）。液状の消費者製品は、比須妖精溶媒をも含有し得る。
【００８２】
本発明により使用可能な好ましい洗浄または清浄剤は、一般式（Ｉ）で示される１-アザ-３,７-ジオキサビシクロ[３.３.０]オクタン化合物の他に、好ましくは以下から選択される成分を好ましくは含有し得る、液状洗浄剤、特にゲル化洗浄剤である：
・アニオン性界面活性剤、例えば好ましくはアルキルベンゼンスルホネート、アルキルスルフェート、例えば好ましくは５〜４０重量％の量、
・非イオン性界面活性剤、例えば好ましくは脂肪アルコールポリグリコールエーテル、アルキルポリグルコシド、脂肪酸グルカミド、例えば好ましくは０.５〜２５重量％の量、
・ビルダー、例えばポリカルボキシレート、クエン酸ナトリウム、有利には０〜２５重量％、好ましくは０.１〜１０重量％、特に０.１〜５重量％、
・発泡防止剤、例えばシリコン油、パラフィン、例えば０〜１０重量％、有利には０.１〜４重量％、好ましくは０.２〜２重量％、特に１〜３重量％の量、
・酵素、例えばプロテアーゼ、アミラーゼ、セルラーゼ、リパーゼ、例えば０〜３重量％、有利には０.１〜２重量％、好ましくは０.２〜１重量％、特に０.３〜０.８重量％の量、
・光学的光沢剤、例えばスチルベン誘導体、ビフェニル誘導体、例えば０〜１重量％、有利には０.１〜０.３重量％、特に０.１〜０.４重量％の量、
・任意にさらなる香料、
・水、
・任意に石鹸、例えば０〜２５重量％、有利には１〜２０重量％、好ましくは２〜１５重量％、特に５〜１０重量％の量、
・任意に溶媒（好ましくはアルコール）、有利には０〜２５重量％、好ましくは１〜２０重量％、特に２〜１５重量％、
「重量」はそれぞれの場合において剤全体に基づく。
【００８３】
本発明により使用可能な特に好ましい液状の洗浄または清浄剤は、一般式（Ｉ）で示される１-アザ-３,７-ジオキサビシクロ[３.３.０]オクタン化合物の他に、少なくとも、０.５〜２０重量％の量のアニオン性界面活性剤、１〜２５重量％の量の非イオン性界面活性剤、１〜２５重量％の量のビルダー、酵素および水を含有する。
【００８４】
本発明により使用可能なさらなる好ましい洗浄または清浄剤は、一般式（Ｉ）で示される１-アザ-３,７-ジオキサビシクロ[３.３.０]オクタン化合物の他に、以下から選択される成分を好ましくは含有する、液状の繊維柔軟剤である：
・カチオン性界面活性剤、例えば特に、エステルクォート、例えば５〜３０重量％の量、
・共界面活性剤、例えば特に、グリセロールモノステアレート、ステアリン酸、脂肪アルコールおよび／または脂肪アルコールエトキシレート、例えば０〜５重量％、好ましくは０.１〜４重量％の量、
・乳化剤、例えば脂肪アミンエトキシレート、例えば０〜４重量％、好ましくは０.１〜３重量％の量、
・任意にさらなる香料、
・任意に染料、好ましくはｐｐｍ範囲、
・溶媒、例えば特に水、例えば６０〜９０重量％の量、
「重量」はそれぞれの場合において剤全体に基づく。
【００８５】
本発明のさらなる主題は、一般式（Ｉ）で示される１-アザ-３,７-ジオキサビシクロ[３.３.０]オクタン化合物を含有する、本発明により使用可能な洗浄、清浄またはケア付与剤を、好ましくは剤全体に基づいて０.０００１〜５重量％の量で用いる、手動または自動の洗浄または浸漬プロセスにおいて、繊維が洗浄浴にさらされる、繊維処理法に関連する、繊維製品における臭気低減方法である、ここで、該洗浄浴の温度は５〜９５℃、好ましくは１０〜６０℃、特に１５〜４０℃である。
【実施例】
【００８６】
〔実施例１〕
３５リットルの容積を有する実験容器に、容器中に存在する大気の嗅覚的チェックを行うことができるホースを取り付けるための１-ｃｍ開口部を備えつけた。下部付近の側面ハッチを用いて、容器は素早く開けることができ、調査媒体を取り入れることができる。実験は、室温、標準圧力下で行った。２つの同一設計容器を使用した。５ｍＬの１０％臭気溶液Ａ（ポリエチレングリコール２０００中）を含むペトリ皿を、清浄化された臭気中性の容器に入れた。この臭気溶液Ａ（処方は以下参照）は、通常のトイレ領域の臭気を再現するためのものである。一時間後、標準を有するペトリ皿を取り除いた。３０分後、２つの容器それぞれの嗅覚的チェックにより、トイレ臭の強い臭気が得られた。試験溶液［以下参照：メチルセリノール溶液＋アルデヒドＣ１０、ならびにオキサゾリジン溶液（アルデヒドＣ１０とメチルセリノールとの反応により形成させた二環式オキサゾリジン）］を、スプレーボトルを用いて、１つの実験容器に微細分散形態で導入した。それぞれの場合において、０.１ｍＬの容積を有する１つのスプレー噴射が生じた。使用した溶媒はエタノールであった。該溶液は、１０％の活性剤含量を有した。したがって、試験溶液は、オキサゾリジン溶液については、アルデヒドＣ１０とメチルセリノールとの反応の反応生成物（すなわちオキサゾリジン）が存在したのに対し、メチルセリノール溶液＋アルデヒドＣ１０については、アミノアルコールおよび芳香アルデヒドが別々に存在したことにおいてのみ相違する。スプレー噴射の直後、および、表に示した時間間隔後に、チャンバー内のトイレ臭気の臭気強度の評価を行った。臭気強度の尺度は、強い（スコア１０）〜かろうじて感じられる（スコア１）である。評価は、嗅覚訓練を備えた人によって行った。
【００８７】
〔結果〕
【表１】
2014527112.tif 000004
【００８８】
実験結果に見られるように、たった４時間後に、オキサゾリジンは臭気の完全な消滅をもたらした。メチルセリノール溶液（メチルセリノール溶液＋アルデヒドＣ１０）の場合、臭気消去は２倍もの長い時間後、すなわち８時間後にのみ達成された。
【００８９】
系へのオキサゾリジンの添加は、全体的に、臭気の効果的な消滅を可能にした。
【００９０】
2014527112.tif 000005
【００９１】
〔実施例２〕
評価に悪臭についての種々の臭気標準を使用した。標準汗（汗の臭気を再現する臭気溶液Ｂ（下記の処方参照））は、人から生じる汗の臭気を表す；標準トイレ（臭気溶液Ａ，上記参照）は、トイレ区域の悪臭を表す；標準カビ（臭気溶液Ｃ（下記の処方参照））は、換気が十分でない地下室区域に典型的なカビ臭である。
【００９２】
２Ｌの所定の容積を有するねじぶた付きジャー中に、それぞれ、臭気（標準汗、トイレまたはカビ）をつけた１０×１０ｃｍの大きさの布地を、ねじぶたに、接着性面ファスナーテープを用いて固定した。それぞれの布地は、この目的のために、関連する臭気標準３８ｍｇが含まれている。次いで、該布地をねじぶた付きジャー中に導入した後、ふたを閉めて２時間熟成させた。次いで、それぞれ３５ｇの試験溶液を導入した［セリノール溶液、または、メチルセリノール溶液＋アルデヒドＣ１０、ならびにオキサゾリジン溶液（アルデヒドＣ１０とセリノールまたはメチルセリノールトを反応させて作られた二環性オキサゾリジン）］。試験溶液は、エタノール中のモル溶液として製造した。試験溶液は、また、オキサゾリジン溶液の場合、芳香アルデヒドとアミノアルコールとの反応生成物（すなわちオキサゾリジン）が存在するのに対し、比較例の場合には、アミノアルコールおよび芳香アルデヒドが別々に存在することにおいてのみ相違する。次いで、２４時間後までの時間で、嗅覚訓練を備えた人によって臭気を評価した。布地としてポリエステルおよび綿を使用した（下記参照）。
【００９３】
〔結果〕
【表２】
2014527112.tif 000006
【００９４】
【表３】
2014527112.tif 000007
【００９５】
【表４】
2014527112.tif 000008
【００９６】
【表５】
2014527112.tif 000009
【００９７】
ここで、同様に、全ての実験が、芳香アルデヒドとアミノアルコールとの組合せとの比較における、オキサゾリジンの臭気に対抗する優れた効果を示す。
【００９８】
2014527112.tif 000010
【００９９】
2014527112.tif 000011
フィキソリド：（＋)-１-[(６Ｓ)-３,５,５,６,８,８-ヘキサメチル-５,６,７,８-テトラヒドロナフタレン-２-イル]エタノン
ゲオスミン：（４Ｓ,４ａＳ,８ａＲ)-４,８ａ-ジメチル-１,２,３,４,５,６,７,８-オクタヒドロナフタレン-４ａ-オール
【国際調査報告】
2014527112.tif 000013
2014527112.tif 000014
2014527112.tif 000015
2014527112.tif 000016